(57)【特許請求の範囲】
【請求項１】
枠組足場を構成する建枠の縦材に沿って昇降する１本または複数本の支持装置と、前記支持装置の側方に延びる手摺材とを備え、枠組足場の上方への接続に先立って上方へ移動可能とした枠組足場用の先行手摺装置において、前記手摺材の下方に前記手摺材とほぼ平行にネット取付材を設け、前記ネット取付材と前記手摺材との間に養生ネットを張設するようにしたことを特徴とする養生ネット付き先行手摺装置。
【請求項２】
前記ネット取付材を前記支持装置の下部に着脱自在としてあることを特徴とする請求項１記載の養生ネット付き先行手摺装置。
【請求項３】
前記養生ネットが、前記ネット取付材への取付け位置より下方に、枠組足場１層分に相当する余長部を有していることを特徴とする請求項１または２記載の養生ネット付き先行手摺装置。
【請求項４】
前記養生ネットの高さ方向の中間位置が前記ネット取付材に取り付けられ、上端部が前記手摺材に着脱自在となっていることを特徴とする請求項３記載の養生ネット付き先行手摺装置。
【請求項５】
前記養生ネットに、前記ネット取付材と前記手摺材との間に張設された状態での養生ネットのたるみを抑えるための緊張手段が設けられていることを特徴とする請求項１、２、３または４記載の養生ネット付き先行手摺装置。
【発明の詳細な説明】
【技術分野】
【０００１】
本発明は、枠組足場において、主として作業者の転落を防止するために用いられる先行手摺装置について、作業者だけでなく小さな部品や工具の落下も防止するための機能を付加した養生ネット付き先行手摺装置に関するものである。
【背景技術】
【０００２】
枠組足場を用いた施工では、上方に枠組足場を構成する建枠を接続して行く際、そのままでは上部に手摺がない状態となるため、作業者の転落の危険がある。そのため、建枠の接続の前に手摺を取り付ける先行手摺が開発され、種々の改良がなされている。
【０００３】
例えば、特許文献１には、枠体の上下方向の略中央部の左右に第１のガイドと、底辺部の左右に第２のガイドを設け、第１のガイドと第２のガイドとで建枠の平行な２本の縦材間を上下動可能とし、枠組足場の設置段数が増える度に先行手摺枠を上昇移動させるようにしたものが記載されている。
【０００４】
また、特許文献２には、枠組足場を構成する建枠の１本の縦材に沿って昇降できるようにし、建枠の寸法誤差、設置誤差などにかかわらず、スムーズに昇降させることができる先行手摺装置が記載されている。
【０００５】
この他、枠組足場に関連する技術として、例えば特許文献３には作業中の物の落下を防止するための養生ネットの留め金具が、特許文献４には建物の外部養生を行うための飛散防止スクリーン等が記載されている。
【先行技術文献】
【特許文献】
【０００６】
【特許文献１】特許第３８３５８１８号公報
【特許文献２】特許第３９５７４８４号公報
【特許文献３】特開２００１−１６４７６０号公報
【特許文献４】特許第３３０８２５４号公報
【発明の概要】
【発明が解決しようとする課題】
【０００７】
従来の先行手摺装置は、足場組立作業において人（作業者）を落下させないことは絶対条件であるが、作業時に使用する小さな部材（資材、工具等）を落下させないということまでは十分配慮されていなかった。
【０００８】
例えば、作業の進行に応じて、枠組足場の外周に、下方から順次、メッシュシート等を張って行けば、その部分については物が外部に落下する恐れがないものの、先行手摺を上昇させる段階では、最上部における作業者以外、すなわち資材や工具等の落下防止機能が不十分である。
【０００９】
施工現場の敷地に余裕があり、それなりの安全性が確保されている場合には、それでもよいが、敷地に余裕がなく、道路や他の建築物に近接する施工現場では、小さな部材の落下が事故につながる可能性があり、第三者被害防止の観点からも足場からの物の落下防止機能が重要な条件となってくる。
【００１０】
そのため、従来の先行手摺装置による施工では、物の落下を防止するための方策を別途考慮しなければならず、作業が輻輳し、余分な手間や費用がかかっていた。
【００１１】
本発明は、上述のような課題の解決を図ったものであり、先行手摺装置の上昇と同時に物の落下を防止するための養生ネットの設置を簡単に行うことができ、第三者被害防止の観点も含め、足場作業の安全性を大幅に向上させることができる養生ネット付き先行手摺装置を提供することを目的としている。
【課題を解決するための手段】
【００１２】
本願の請求項１に係る養生ネット付き先行手摺装置は、枠組足場を構成する建枠の縦材に沿って昇降する１本または複数本の支持装置と、前記支持装置の側方に延びる手摺材とを備え、枠組足場の上方への接続に先立って上方へ移動可能とした枠組足場用の先行手摺装置において、前記手摺材の下方に前記手摺材とほぼ平行にネット取付材を設け、前記ネット取付材と前記手摺材との間に養生ネットを張設するようにしたことを特徴とするものである。
【００１３】
支持装置と手摺材とを備えた先行手摺装置部分については、従来の先行手摺装置（例えば、背景従来の項で挙げた特許文献１、２記載のものなど）をそのまま利用したり、必要に応じネット取付材を取り付けるための機構を付加したものなどを利用することができる。
【００１４】
ネット取付材は、先行手摺装置の手摺材との間に養生ネットをできるだけ隙間が生じないように張るための部材であり、断面など特に限定されないが、簡単には、パイプ材あるいは棒状部材などを利用することができる。
【００１５】
請求項２は、請求項１に係る養生ネット付き先行手摺装置において、前記ネット取付材を前記支持装置の下部に着脱自在としてあることを特徴とするものである。
【００１６】
ネット取付材は、あらかじめ先行手摺装置に取り付けておくこともできるが、ある程度長尺となることから、保管時、現場への運搬時には取り外しておき、現場で取り付けられるようにしたものが望ましい。
【００１７】
特に、特許文献２に記載されているような、建枠の１本の縦材に沿って昇降できるようにした先行手摺装置の場合、支持装置と、手摺材およびネット取付材をそれぞれ現場で着脱自在なものとすることで、保管時、運搬時の取り扱いが非常に容易となる。
【００１８】
請求項３は、請求項１または２に係る養生ネット付き先行手摺装置において、前記養生ネットが、前記ネット取付材への取付け位置より下方に、枠組足場１層分に相当する余長部を有していることを特徴とするものである。
【００１９】
枠組足場が組み上がった部分については、従来からその外周をメッシュシートで覆うといったことが行われているが、昇降式の先行手摺装置に養生ネットを取り付けた場合、上層の建枠を接続する前に、先行手摺装置を上昇させることで、養生ネットも同時に上昇するようにすることが望ましい。その場合に、余長部を設けておくことで、養生ネットとメッシュシート等との間に隙間が生ずるのを防止することができる。
【００２０】
余長部の長さは、施工条件や施工計画によっても異なるが、一般的には枠組足場１層分に相当する長さを基準に考えればよく、無駄や作業への支障が生じない範囲でそれ以上の長さがあってもよい。
【００２１】
請求項４は、請求項３に係る養生ネット付き先行手摺装置において、前記養生ネットの高さ方向の中間位置が前記ネット取付材に取り付けられ、上端部が前記手摺材に着脱自在となっていることを特徴とするものである。
【００２２】
余長部を考慮した上で、養生ネットの高さ方向の中間位置をあらかじめネット取付材に取り付けておけば、枠組足場に先行手摺装置を設置した際に、養生ネットの上部を手摺材に取り付ける作業のみで、養生ネットを張ることができる。
【００２３】
養生ネットの手摺材への取り付けは、結束線あるいは紐などでも可能であるが、あらかじめ養生ネットの上部に手摺材に係止させるためのフックなどの係止具を止め付けておけば、現場作業は係止具を手摺材に掛けるだけでよく、作業の効率と安全性が向上する。
【００２４】
請求項５は、請求項１、２、３または４に係る養生ネット付き先行手摺装置において、前記養生ネットに、前記ネット取付材と前記手摺材との間に張設された状態での養生ネットのたるみを抑えるための緊張手段が設けられていることを特徴とするものである。
【００２５】
養生ネットは高所で風を受けてたるみが生ずると、横方向に隣り合う養生ネット間に隙間が生じるなど、物の落下防止機能が損なわれる恐れがあるが、緊張手段として例えばワイヤーあるいはゴム材料などの線材を、養生ネットの端部あるいは必要に応じ中間部に縫い込むなどして内装させておくことにより、風などによるたるみを防止することができる。
【００２６】
また、請求項４に係る発明のように、養生ネットを係止具で手摺材に係止する場合、係止部分が緩んで外れるのを防止することもできる。その場合、緊張手段としての線材の一端をネット取付材に固定し、他端をフックなどの係止具につないでおくことで、手摺材への係止と同時に養生ネットを緊張することができる。
【発明の効果】
【００２７】
本発明によれば、養生ネットの設置を、先行手摺の取付け作業と同時に、同じ作業員が簡単・迅速に行うことができ、作業効率の向上、それに伴う工期の短縮が図れる。
【００２８】
養生ネットを先行手摺装置の手摺材とこれと平行に配したネット取付材との間に張設することで、たるみが生じないように取り付けることができ、作業中の物の落下を確実に防止し、安全性向上、第三者被害の防止を図ることができる。
【図面の簡単な説明】
【００２９】
【図１】本発明の養生ネット付き先行手摺装置を用いた枠組足場の組立ての概要を示す斜視図である。
【図２】本発明の養生ネット付き先行手摺装置の一実施形態を示したもので、(a)は支持装置と、手摺材と、ネット取付材との取付け関係を示す斜視図、(b)は支持装置単独を枠組足場の内側から見た斜視図である。
【図３】本発明の養生ネット付き先行手摺装置で用いるネット取付材の一例を示したもので、(a)は支持装置への取付け部を示す平面図、(b)は長手方向に一部省略した正面面、(c)はそのＡ−Ａ断面図である。図である。
【図４】枠組足場における施工手順を示す断面図である。
【発明を実施するための形態】
【００３０】
以下、本発明の養生ネット付き先行手摺装置の好ましい実施形態を図面に基づいて説明する。なお、本発明は以下に説明する実施形態に限定されるものではない。
【００３１】
図１は、本発明の養生ネット付き先行手摺装置を用いた枠組足場の組立ての様子を概略的に示したもので、図２は養生ネット付き先行手摺装置の具体例、図３は養生ネット付き先行手摺装置に用いるネット取付材３１の具体例を示したものである。
【００３２】
図２に示されている装置は、製品として使用されている既存の先行手摺装置１１（本出願人の一人による製品名「ラックガードARG-100」）に、図３のネット取付材３１を取り付けるようにしたものである。
【００３３】
すなわち、現場において、枠組足場の前面（外面）側に、図２(a)に示すように、既存の先行手摺装置１１を構成する支持装置１２の上部に既存の手摺材２１を取り付け、支持装置１２の下部にネット取付材３１を取り付ける。
【００３４】
図２(b)は支持装置１１部分の反対面を示したもので、枠組足場への取付け状態（図１参照）においては、支持装置１２の中央縦方向に延びる溝部１８内に建枠１の縦材２ａが納まり、溝部１８の両側に位置する位置決めストッパー１３が建枠１の横材２ｂに係止し、さらに上下に位置するクランプレバー１５ａ、１５ｂの操作によって建枠１に固定されるようになっている。上下のクランプレバー１５ａ、１５ｂは連動式であり、何れを操作してもよい。
【００３５】
位置決めストッパー１３は、バネで付勢されており、支持装置１２を建枠１の縦材２ａに沿って上昇させるときは、建枠１の横材２ｂにぶつかることでバネの付勢力に抗して自動的に開き、横材２ｂを通過すると元の位置に戻り、横材２ｂ上に係止されるようになっている。なお、下降させる場合は、位置決めストッパー１３を別操作により、強制的に開くことで、縦材２ａに沿って下降させることができる。
【００３６】
また、図示した例では、支持装置１２の溝部１８の高さ方向中間部と下部の両側に花弁状の複数の突起を備えた外れ止めローラー１４を設けており、支持装置１２が建枠１の縦材２ａから外れるのを防止している。外れ止めローラー１４は軸周りに回転可能であり、かつ１つの突起が溝部１８を塞ぐ方向に位置するようバネで付勢されている。
【００３７】
このような花弁状のローラー形態としたのは、支持装置１２の上昇あるいは下降時に建枠１の横材２ｂと干渉を回避するためである。すなわち、支持装置１２を上昇あるいは下降させる際、建枠１の横材２ｂに外れ止めローラー１４の突起がぶつかるが、外れ止めローラー１４が回転することで横材２ｂをかわしながら移動しつつ、常に支持装置１２が縦材２ａから外れるのを防止することができる。
【００３８】
図２(a)に示すように、手摺材２１の取り付けは、支持装置１２の上部に設けられている手摺ホルダー１６の孔に、手摺材２１の下方に延びる手摺連結パイプ２２を差し込むことによって行われ、抜け出し防止のためロックピン２３が差し込まれる。
【００３９】
一方、本実施形態において、ネット取付材３１は、図２(a)および図３に示すように、角パイプからなるネット取付材３１の本体部分と、その本体部分に溶接等で直角に取り付けた取付材連結パイプ３２とからなり、取付材連結パイプ３２をスタッキングブロック１７（既存の先行手摺装置１１において装置を積み重ねるために取り付けられている）の孔に差し込むことによって取り付ける。図示していないが、この場合も抜け出し防止のためにロックピンなどが用いられる。
【００４０】
ネット取付材３１の取付け方法は上記のものに限定されるものではないが、既存のスタッキングブロック１７の孔を利用することで、特別の加工等を要さないメリットがある。
【００４１】
このネット取付材３１は、取付け状態において、手摺材２１と平行に延び、手摺材２１との間で養生ネット３３をたるみなく張るようにしたものである。その場合に、課題を解決するための手段の項で例示的に述べたように、養生ネット３３に緊張手段としてのワイヤーあるいはゴム材料などの線材を内装させておき、その一端をネット取付材３１に固定し、他端にフックなどを設け、フックを手摺材２１に係止するようにすれば、養生ネット３３を取り付けと同時にたるみが生じないように緊張することができる。
【００４２】
図２(a)では、あらかじめネット取付材３１に養生ネット３３を丸めて取り付けてある状態を点線で示している。なお、ネット取付材３１を挟んだ下方には養生ネット３３の余長部３３ｂを同じく点線で示している。
【００４３】
図１(a)は、建設中の構造物（図示せず）の外周に建枠２と足場板３などを、順次、上方へ組み上げて行く過程において、養生ネット３３を張った先行手摺装置１１が枠組足場１の最上層にセットされており、その状態で作業者が建枠２の接続作業を行っている様子を示したものである。
【００４４】
隣り合う建枠２間には筋かい４を取り付けて枠組足場１としての剛性を確保している。作業者は先行手摺装置１１による転落防止機能に加え、通常、命綱のフックを枠組足場１内に張った親綱（図示省略）に掛けて作業を行うことで、万が一、足を踏み外したり、転倒した場合でも落下を免れるようにしている。
【００４５】
また、図１(b)は、最上層での作業が完了した後、養生ネット３３を張った状態の先行手摺装置１１を、そのまま建枠２の縦材２ａに沿って、順次、上方へ移動させていく過程で、作業者が先行手摺装置１１を操作している様子を示したものである。
【００４６】
図４(a)〜(e)は、上述のような枠組足場１における作業手順を断面図として示したものであり、以下の手順で作業を行う。
【００４７】
(1) 先行手摺装置１１を枠組足場１を構成する建枠２の縦材２ａに取付ける（図４(a)参照）。
【００４８】
その際、図２(a)で説明したように、既存の先行手摺装置１１を構成する支持装置１１の上部に手摺材２１を取り付け、下部にネット取付材３１を取り付け、手摺材２１とネット取付材３１との間に養生ネット３３を張る。養生ネット３３の下方に延びる余長部３３ｂは、先行手摺装置１１の下方から枠組足場１の建枠２の内側に納まるようにする。
【００４９】
(2) 上層の建枠２を接続する（図４(b)参照）。
先行手摺装置１１による作業者の転落防止機能に加え、養生ネット３３による物品の落下防止機能を確保した状態で、上層の建枠の接続、筋かいの取付けなどの作業を行う。
【００５０】
(3) 先行手摺装置１１を新たに接続した上層の建枠２までせり上げる（図４(c)参照）。
先行手摺装置１１の固定を解除して、建枠２の縦材２ａに沿って、１層上の位置までせり上げ（図１(b)参照）、固定する。
【００５１】
このとき、下方へ延びる余長部３３ｂが枠組足場１の内側から引き上げられることで、養生ネット３３の下端（余長部３３ｂの下端）と養生シート７との間に隙間が発生しないようにしている。
【００５２】
(4) 養生シート７を下から取り付けて行く（図４(d)、(e)参照）。
養生シート７を下から取り付けて行き、養生ネット３３の余長部３３ｂを、再び枠組足場１の建枠２の内側に納めて行く。
【００５３】
(5) 以後、(2)〜(4)の作業を必要回数繰り返す。
【００５４】
以上述べた実施形態は、特許文献２に記載される先行手摺装置のように、建枠の１本の縦材に沿って昇降できるタイプの先行手摺装置１１に適用した場合の実施形態であるが、特許文献１に記載される先行手摺装置のように、２本の支持装置と、その側方、すなわち支持装置間に延びる手摺材とを備え、枠建枠の平行な２本の縦材間を昇降するタイプにおいてもあらかじめ取り付けられている手摺材と平行にネット取付材を設け、手摺材とネット取付材との間に養生ネットを張ることで、本発明の養生ネット付き先行手摺装置として、同様の作業を行うことができる。
【符号の説明】
【００５５】
１…枠組足場、２…建枠、２ａ…縦材、２ｂ…横材、３…足場板、４…筋かい、７…養生シート、
１１…先行手摺装置、１２…支持装置、１３…位置決めストッパー、１４…外れ止めローラー、１５ａ、１５ｂ…クランプレバー、１６…手摺ホルダー、１７…スタッキングブロック、１８…溝部、
２１…手摺材、２２…手摺連結パイプ、２３…ロックピン、
３１…ネット取付材、３２…取付材連結パイプ、３３…養生ネット、３３ｂ…余長部
【図１】
0005444150.tif 000002
【図２】
0005444150.tif 000003
【図３】
0005444150.tif 000004
【図４】
0005444150.tif 000005